(57)【要約】      （修正有）【課題】表面の磁束密度が４０ミリテスラ以下で、２０ｃｍ離れた位置では０.５ミリテスラ程度の変動磁気発生器の提供。【解決手段】銅またはアルミニウムの巻線１１で作成した外径２０〜４０ｃｍの空心のコイルをケース１２に納めた変動磁場発生器およびその製造方法。プラグ１５及び電源コード１６より６０Ｈｚ或いは５０Ｈｚの交流電圧を印加し、５００〜２０００ＡＴの電流を連続的にコイルに流すことにより、コイル表面での磁束密度が１０〜４０ミリテスラで、コイルから２０〜４０ｃｍ離れた位置の磁束密度が０.５ミリテスラ程度の、より均一な交番磁場空間をつくることができる。また、小さな鉄片をこのコイルの内側に取り付けることで、部分的に磁束密度を高くすることが出来る。【選択図】図１
2007252875.tif 000002
【特許請求の範囲】
【請求項１】
銅線またはアルミニウム線を導体とする外径２０〜４０ｃｍφの空心のコイルにおいて、銅線では巻線の導体径は０，７〜２，０ｍｍφとし巻数は（線径）×（線径）×（巻数）の値を３００〜１２００巻の範囲として、アルミニウム線では巻線の導体径は０，９〜２，６ｍｍφとし巻数は（線径）×（線径）×（巻数）の値を４８０〜１９２０巻の範囲として、６０または５０Ｈｚの交流電圧を変圧器や連続可変変圧器「スライダック」を介して印加し、５００〜２０００ＡＴの電流を連続的に流して変動磁場を発生させることを特徴とする方法及び機構である。
【請求項２】
請求項１の空心のコイルにおいて、その巻線をほぼ同じ巻数に分割して、同じ巻方向に並列接続することで、２分割なら１／２に、３分割なら１／３に、４分割なら１／４に、というように印加電圧を低くした事を特徴とする方法および機構。
【請求項３】
請求項１或いは請求項２の空心のコイルのケースの内側に、外寸約１ｃｍ以下・長さ４ｃｍ以下の、絶縁された鉄線或いは鉄板など透磁率の高い材料の集合体を１個以上設置して、前記コイルのケースの表面に部分的に磁束密度が周囲より高くなった空間をつくり出す事を特徴とする方法および機構。
【発明の詳細な説明】
【発明の詳細な説明】
【技術分野】
【０００１】  本発明は、主に人体や動物、植物、微生物等の、生体と磁気との関係を研究したり、病気の治療や、成長の促進をはかるのに用いる変動磁場発生器（特に、交番磁場発生器及び脈動磁場発生器）に関するものである。
【背景技術】
【０００２】  従来から使用されている変動磁場発生器は、鉄心入りの電磁石を用いる交番磁場発生器（商品名：▲１▼創健Ｂ型、▲２▼マグネタイザー）や、空心のコイルの電磁石を用いる脈動磁場発生器（商品名：▲３▼バイオイーザー「旧・神経波磁力線発生器」）などがある。
【非特許文献１】  石渡  弘三著、「交流磁気がからだを変える」現代書林、１９９７年６月０５日発行、Ｐ７３〜９６
【非特許文献２】  中川  恭一著、「磁気と人間」株式会社サン・エンタープライズ、昭和５８年８月３１日発行、Ｐ６３〜６５、Ｐ１７１〜１８１
【非特許文献３】  政木  和三著、「未来への発想法」東洋経済新聞社、１９９６年６月２７日発行、Ｐ１７４〜１７７
【０００３】  また、これらの変動磁場発生器は、それぞれ、厚生労働省の薬事法の家庭用電気磁気治療器として、次の様に認可を受けていた。
▲１▼創建Ｂ型      ：  １５５００ＢＺＺ０１５３０００（５５Ｂ−１５３３）
▲２▼マグネタイザー：  ４７Ｂ−８２８
▲３▼バイオイーザー：  ３４ＢＺ５００６
【発明の開示】
【発明が解決しようとする課題】
【０００４】  ▲１▼創健Ｂ型は２５年、▲２▼マグネタイザーは７０年の歴史がある磁気治療器であるが、鉄心入りの電磁石を用いるために、本発明の目的である磁場を遠くに飛ばすことが難しいという問題がある。そのため、複数の磁気治療器を組み合わせて使用することで磁気を体の内部に深く浸透させようと苦心しているが、高価になってしまう。【０００５】  また、これらの交番磁場発生器は、鉄心入りの電磁石を用いるので、重量が重くなる。手に持って使うには軽量化が必要だが、構造的に難しいという問題がある。そのためもありマットレスに埋込んで使ったり、ベッドや椅子に組込んで使ったりしているが、効果をすぐに体感する人は少なく、一週間位連続使用してから効果を感じるようである。【０００６】  一方、▲３▼バイオイーザーは、２ｍｍφ位の銅線を８０〜１００回位巻いた、直径２０ｃｍの空心のコイルに、ピークで５０００ＡＴ位の電流を脈流で流して６８ミリテスラの磁束密度をコイル表面で達成する脈動磁場発生器であるが、磁気を遠くに飛ばすことはすぐれているが、磁気が周囲１ｍ以上に届くので、周囲に磁気カードや磁気テープ、電子機器を置かないようにしなければならないなど、使用する場所も制限される問題がある。【０００７】  更に、▲１▼の変動磁場発生器の表面の磁束密度は８０ミリテスラであり、表面から約５ｃｍの所は約７ミリテスラであり、約２０ｃｍのところは０，５ミリテスラ程度以下と推定され、変動磁場発生器の表面での磁束密度は実際の磁場の作用する場と数倍か数十倍以上の違いがあることを意味している。実際に人体の深部に届いている磁場は、約７ミリテスラ以下であり、衣服や枕、マットレスの厚さを考慮すれば、器具の表面の磁束密度はパワーの目安であるが、効果の目安では無いと考えられる。【０００８】  更にまた、本発明の発明者は、片目に白内障を患っており、実際に▲３▼バイオイーザーを使用してみたところ、眼球に痛みを感じ、５分以上の使用で却って見えにくくなり、回復に３日以上を要する体験をし、再度使用しても同じ結果になり、これは、白内障には磁場が強すぎると思った。その磁場は、カタログから約４０ミリテスラと思われる。【０００９】  それで、１０ミリテスラの▲２▼マグネタイザーで目に磁気を当ててみたところ、痛みはなく、見えにくくなることもなく、視力はすこし回復するのを感じて、弱い磁場で良いとの思いを強くした。それで表面での磁束密度は４０ミリテスラ以下で、約２０ｃｍ離れた所は０，５ミリテスラ位になる変動磁場発生器をつくりたいと思った。【００１０】  ここで、磁場の強さについて確認しておくと、面積１ｃｍ２で１００ミリテスラの磁石と、面積１００ｃｍ２で１ミリテスラの磁石とを比較すると、磁束の数は同じで、十分離れた位置では、磁場の強さは同じになる。それは、発生する総磁束数が同じだからである。【００１１】  もっと現実的に簡略化するなら、直径３ｃｍの鉄心入りの電磁石が表面での磁束密度が、５０ミリテスラのとき、直径２０ｃｍの空心のコイルの電磁石が表面での磁束密度が、１０ミリテスラでも、空心のコイルの電磁石の方が強い磁束を発生していることになり、コイルから１０ｃｍも離れれば空心のコイルの電磁石の方が磁場は強くなる。【００１２】  ここで、従来の変動磁場発生器の問題をまとめると、小さい鉄心入コイルを使うと磁場が体の中に届き難く、皮膚の近くだけ強い磁場になってしまう問題があり、また、空心のコイルを使った弱い磁場発生器は、［非特許文献２］によると、米国でやや大型のベルト型の物が事例として有った以外は、商品化されてないようである。発明者の経験では、病気の部分は弱い磁場の効果を敏感に感じることができるが健康な部分は何も感じることができないという磁気の特徴が健康な人に理解されていない事もあったと思われる。
【課題を解決するための手段】
【００１３】  この課題を解決する第１の発明は、銅線またはアルミニウム線を導体とする外径２０〜４０ｃｍφの空心のコイルにおいて、銅線では巻線の導体径は０，７〜２，０ｍｍφとし巻数は（線径）×（線径）×（巻数）の値を３００〜１２００巻の範囲として、アルミニウム線では巻線の導体径は０，９〜２，６ｍｍφとし巻数は（線径）×（線径）×（巻数）の値を４８０〜１９２０巻の範囲として、６０または５０Ｈｚの交流電圧を変圧器や連続可変変圧器「スライダック」を介して印加し、５００〜２０００ＡＴの電流を連続的に流して変動磁場を発生させることを特徴とする方法及び機構である。【００１４】  巻線の巻数は、銅線では例えば０，７ｍｍφでは６００〜２４００巻、１，０ｍｍφでは３００〜１２００巻、２，０ｍｍφでは７５〜３００巻の範囲に、アルミニウム線では例えば０，９ｍｍφでは６００〜２４００巻、１，４ｍｍφでは２４０〜９６０巻、２，６ｍｍφでは７５〜３００巻の範囲になる。【００１５】  印加する交流電圧は特に限定しないが１２〜２４０Ｖを想定している。印加する６０Ｈｚの交流電圧と巻数の関係は、前記の左の数値に２４Ｖ、右の数値に２３０Ｖとしたときに電流は、例えば銅線の１，０ｍｍφでは１，５〜２Ａ／本、１，４ｍｍφでは３〜４Ａ／本であるが、特に限定されるものではなく、電流密度が１，５〜３，５Ａ／ｍｍ２となる範囲の電圧であることが望ましい。【００１６】  コイルの保護のためケースを設けた方が良く、ケースはＡＢＳやポリプロピレンなどの熱可塑性樹脂や熱硬化性樹脂で図１に示した様に、輪状のコイルを収納する部分と、コイルと電源コードとを接続する部分からなるものに、安全のために過電流を遮断するヒューズと、過熱を防ぐ温度ヒューズまたは温度スイッチとを設けた方が良い。【００１７】  この空心のコイルの交流電流は、銅線の場合で、電流密度が２，２Ａ／ｍｍ２以下なら約３０分位連続で使用でき、３Ａ／ｍｍ２以上なら５〜１０分位連続で使用できる。【００１８】  銅線径の０，７〜２，０ｍｍφで上記以外の線径での巻数は、上記の例の近いサイズの値から比例計算して求めれば良い。線径と巻数は反比例しているが、相互インダクタンスの影響分を数％調整するだけで、実用範囲の値を得ることができる。以後の説明でも同じなので、代表的な線径についてのみ説明する。【００１９】  本発明の第２の発明は変圧器を使用せずに、１００Ｖの交流電源で励磁できる空心のコイルに温度ヒューズ或いは温度スイッチ、及びヒューズを設けケースに入れた機構である。コイルの直径４０〜２０ｃｍとし、巻線の銅線径は０，７〜２，０ｍｍφとし、６０Ｈｚでは巻数は例えば０，８ｍｍφは５６０〜９７０巻、１，０ｍｍφは４００〜７００巻、１，４ｍｍφは３５０〜５８０巻、２，０ｍｍφは２００〜３００巻の範囲であり、５０Ｈｚの場合は約１０％巻数を増やした値である。電流密度が１，５〜３，５Ａ／ｍｍ２になるコイルの直径と巻線を組み合わせて使用するが、タイマーを組み合わせたほうが良い。【００２０】  コイルの外径２３ｃｍで銅線径０，８ｍｍφ、巻数８９０〜９５０巻にすると、空心のコイルの断面部分内側のコイル表面での磁束密度が、約１８ミリテスラ位になる。そのときの電流は、約９００ＡＴになる。巻数を１割減らすと、電流は約２割増える。【００２１】  また、同様にコイルの平均直径２５ｃｍで６０Ｈｚの場合で、導体径１，０ｍｍφで、巻数６００〜６６０巻にすると、同じくコイル表面での磁束密度が、約１４ミリテスラ位になる。そのときの電流は、約１０００ＡＴになる。【００２２】  また、コイルの平均直径２１ｃｍで６０Ｈｚの場合で、導体径１，４ｍｍφで、巻数５２０〜５６０巻にすると、同じくコイル表面での磁束密度が、約３０ミリテスラ位になる。そのときの電流は、約１８００ＡＴになる。【００２３】  コイルの平均直径を２０ｃｍから２５ｃｍに変えると巻数を、数％から１０％位減らすと、ほぼ同じ電流にする事ができる。また、２５ｃｍから３０ｃｍに変えると巻数は、更に数％から１０％位減らすと、ほぼ同じ電流にする事ができる。【００２４】  コイルの巻数は、相互インダクタンスの影響で、乱れ巻では多少の調整が必要になる。また、乱れ巻では同じ巻数で同じ電圧でも、電流は少し違ってくる。更に、電源電圧も時間によって変動しているし、場所によっても数％位違う所もある。【００２５】  これまでは６０Ｈｚの交流電源について記してきたが、５０Ｈｚの場合は、コイルの巻数を数％から１０％位増やすことで同じように対応する事ができる。計算上は、１０％位と思えるが、現実には相互インダクタンスと外径変化の影響で数％の違いがでてくる。【００２６】  次に、１００Ｖや、２２０Ｖの交流電源では、人体に密着させて使用したり、植物や微生物に使用するときに水に濡れる場所で使用するなど万一の場合危険があると判断される用途の為に、新しい考案をおこなった。【００２７】  第３の発明は、前記の空心のコイルの巻線を複数に分割して、それを同一巻方向に並列接続して印加電圧を低くすることを特徴とする機構および方法である。【００２８】  即ち、前記の第２の発明のコイルの巻線を、２分割して並列接続し、５０Ｖを印加すれば、供給電流は２倍になり、発生する磁気は同じ強さになる。また、第１の発明の中で３６Ｖのコイルを３分割して並列接続すれば、１２Ｖで使用することができる。２００Ｖを２分割して１００Ｖとしても良いし、４分割して５０Ｖとしても良い。印加電圧が低いと安全性が増して便利であり、また導体径を変えずに磁場の強度を変えることができる。【００２９】  導体に流す電流は、２，２Ａ／ｍｍ２以下であれば、３０分位は、熱くなるまでに使用可能である。３Ａ／ｍｍ２以上では５分とか１０分とかで、かなり熱くなる。過熱防止のためには、タイマーを電源側に設置した方がよい。タイマーは、図３に示したような６０分以下用が、細かい設定ができて便利である。前述の▲１▼、▲２▼、▲３▼もタイマーを併用している。電流が３Ａ位なら▲１▼、▲２▼と同じものが使用可能である。【００３０】  第４の発明として、第１から第３の本発明の空心のコイルの内側に小さな鉄心を追加配置したものを考案した。この鉄心は、複数の１ｍｍφ以下の被覆鉄線を束ねたもの、或いは鉄片を重ねたものが誘導電流を小さくするうえで優れており、寸法は直径１ｃｍ以下、長さはコイルの断面の直径の約４ｃｍ以下のものである。この鉄心を、空心のコイルの内側、且つコイルのケ���スの裏側に、コイルの導体と直交するように配置したものである。【００３１】  その機能は、空心のコイルのケースの表面に、部分的に磁束密度の高い場所を作ることである。薬事法では、器具の表面での磁束密度の規定があり、本発明の第１から第３の発明は、出願時点で、規定より磁束密度が低いので、薬事法が改正されるまでは、家庭用治療器として売れない問題がある。その問題を解決するために考案したもので、局所だけ高い磁束密度にすることで規定範囲にする効果がある。【００３２】  コイルの直径は、手に持って使う用途では、直径３０ｃｍ位迄で十分で、椅子に取り付けて使う用途では、直径２５ｃｍ〜３５ｃｍ位が適している。鉄心入りのコイルの交番磁場発生器より遠くまで磁気を飛ばすことができるので、少ない台数で済ませることが出来る。また、ベッドやマットレスに組み込む場合は、直径３０ｃｍ〜４０ｃｍ位が適している。コイルの形状も正方形、長方形や楕円形、それらを組み合わせた形状としてもよく、円形にこだわるものではない。
【発明の作用】
【００３３】  本発明の空心のコイルの作用は物理現象そのもので、磁気が発生する仕組みは当然で、従来から有りそうで無かったのは、コイルの巻数を多くして少ない電流でコイルの外側に磁場空間をつくる方法が、高い印加電圧を必要として、且つ、無効電力が多くなることもあり、試されなかったと推測している。
【００３４】  第４の発明を除く本発明の空心のコイルは、最小約５００ＡＴから最大約２０００ＡＴの交流電流によって、そのコイルの内側表面で磁束密度が最大５〜４０ミリテスラになり、その周囲に▲１▼よりも広い空間に▲３▼より弱い交流磁場をつくる。また、第４の発明で最大６０ミリテスラ以上になり薬事法の規定に合うようになる。
【００３５】  また、銅線径については、一般的な低圧用の変圧器の電流容量が８Ａ位なので２，０ｍｍφ以下とするほうが安価になる。一方、０，６ｍｍφ以下では、１０００ＡＴ以上の電流を流すのに１６００巻以上巻く必要が出てくるので製造コストが大きくなる。従って、この０，７ｍｍφ〜２，０ｍｍφの範囲外は適していないとした。
【００３６】  更に、相互インダクタンスの点からは、導体径が小さい方が大きいので、第２の発明の１００Ｖ電源には０，７〜２，０ｍｍφの銅線や０，９〜２，６ｍｍφのアルミ線を使用する方が簡単で且つ家庭のブレーカーの容量以下なので適している。
【実施例】
【００３７】  図１に、本発明の第１から第４の発明に共通の「変動磁場発生器」の磁気リングの外観を示した。寸法は、外径２０ｃｍから４０ｃｍであるが、外観は共通である。【００３８】  図１に示される実施例では、銅線或いはアルミ線のコイル１１はコイルケース１２の中に収納されており、結合部１３の中で、図１では見えないが１８感温スイッチ、１９温度ヒューズと圧着接合されており、更に１７ヒューズを介して１６電源コードに接続されている。１６電源コードの端は、１５プラグが取り付けられている。この１５プラグは、図では、１００Ｖ用プラグになっているが、１００Ｖ以外では図示していない別の形状がよい。それは、本発明にとって本質的なことではないので、特には図示しない。【００３９】  本発明の第１の発明の例は、図１の磁気リングと図２の変圧器、図３のタイマーと組み合わせて使用される。図２の変圧器は、２２ケース内に変圧器本体が収納されており、２３出力端子（図ではコンセント形状）にＡＣの２次電圧が接続されている。２７ヒューズは、２次電流用で、２９表示灯は動作中に点灯する。２６電源コードは、図３のタイマーに接続される。【００４０】  図３のタイマーは、市販品で３２本体に３３レセプタクルが２個付いている。３９時刻目盛に合わせて、３８時刻設定つまみを回転させて、切れる時間を設定するようになっている。３６電源コードの端には、３５プラグが付いていて、１００Ｖのコンセントに接続して使用される。周波数は特に表記しない限り、６０Ｈｚである。【００４１】  実施例１は、直径（外径）２３ｃｍ、銅線径１，４ｍｍφの巻線を２４０回巻いたコイルである。このコイルに２６Ｖの交流電圧を変圧器から供給している。交流電流は、低温時は８４８ＡＴで、２５分使用後４０℃以上になったと思われる時点で８１３ＡＴであった。コイルの断面は円形にしてある。図３のタイマーで３０分づつ使用しているが過熱することもなく、コイルの中心にペットボトルの水を置くと、美味しい磁気水が得られた。【００４２】  実施例２は、直径（外径）３２ｃｍ、銅線径１，０ｍｍφの巻線を３５５回巻いたコイルである。このコイルに５２Ｖの交流電圧を変圧器から供給している。交流電流は、低温時は７１０ＡＴであった。コイルの外径が大きくなると、コイル内側の磁束密度は低くなるが磁気の届く範囲は広くなってくる。これは２０分位で熱くなる。【００４３】  第２の発明の実施例３は、直径（外径）２８ｃｍ、銅線径１，０ｍｍφの巻線を６３８回巻いたコイルである。このコイルに１００Ｖの交流電圧を電源から直接供給している。交流電流は、低温時は９５２ＡＴであった。図３のタイマーで３０分づつ使用しているが過熱することもなく、毎週数回使用している。主に腹部に使用したが、１０分位で身体が熱くなり、汗が出てくる。腹部の脂肪が取れてしまったのかウエストが３０歳の頃と同じになるほど細くなった。この現象は９００ＡＴ位に閾値があるように思う。【００４４】  実施例４は、直径（外径）２８ｃｍ、銅線径０，８ｍｍφの巻線を８２０回巻いたコイルである。このコイルに１００Ｖの交流電圧を電源から直接供給している。交流電流は、低温時は７１０ＡＴであった。図３のタイマーで３０分づつ使用しているが過熱することもなく使用できた。重量は約３ｋｇである。【００４５】  実施例５は、直径（外径）２９ｃｍ、銅線径０，８ｍｍφの巻線を９２０回巻いたコイルである。このコイルに１００Ｖの交流電圧を電源から直接供給している。交流電流は、低温時は６６４ＡＴであった。図３のタイマーで３０分づつ使用しているが過熱することもなく使用できた。このコイルに１２０Ｖの交流電圧を加えると、交流電流は低温時は８０３ＡＴであった。これから、５０Ｈｚの１００Ｖの交流電圧を加える時もほぼ同じになると思われる。【００４６】  第３の発明の実施例６は、直径（外径）２８ｃｍ、銅線径１，０ｍｍφの巻線を４２０回巻いたコイルで、２１０回巻いたコイル２本を並列接続してある。このコイルに２６Ｖの交流電圧を変圧器から供給している。。交流電流は、低温時は７３４ＡＴであった。図３のタイマーで３０分づつ使用しているが過熱することもなく使用できた。【００４７】  第３の発明の実施例７は、直径（外径）２８ｃｍ、銅線径０，８ｍｍφの巻線を６００回巻いたコイルで、３００回巻いたコイル２本を並列接続してある。このコイルに２６Ｖの交流電圧を変圧器から供給している。。交流電流は、低温時は５０１ＡＴであった。図３のタイマーで３０分づつ使用しているが過熱することもなく使用できた。【００４８】  アルミニウム線の空心のコイルは、特別に注文して製造して貰わなければならないので、１，４ｍｍφの銅線で代用して試作実験を行った。実施例８は、直径（外径）２４ｃｍ、銅線径１，４ｍｍφの巻線を５４０回巻いたコイルである。このコイルに５２Ｖの交流電圧を加えると、交流電流は低温時は１，８Ａ，計算すると９７２ＡＴであった。銅線の抵抗値は４，７９オームで、Ｚ＝２８，８９から計算するとＬ＝２８，８３になり、アルミ線の抵抗値は７，６６で計算するとＺ＝２９，８３となり、アルミ線の場合の交流電流は１，７Ａと推測される。この時の発熱量は２２，１Ｗである。この５４０回巻いたコイルを２７０回巻いたコイル２本の並列接続にして２６Ｖの交流電圧を加えると、交流電流は９１８ＡＴである。これは３０分間問題なく使用できる値である。また、１０６Ｖの電圧では１９９８ＡＴとなって、銅線のコイルとしても使えることも分かった。【００４９】  実施例９は、直径（外径）４０ｃｍ、銅線径１，４ｍｍφの巻線を３５３回巻いたコイルである。このコイルに１００Ｖの交流電圧を電源から直接供給した。交流電流は、低温時は１２３６ＡＴであった。重量は約６ｋｇと重く手で持って使うには困難だが、アルミ線にすれば約３ｋｇになるので手で持てるものになる。このコイルは磁気が届く範囲が広く、永久磁石をプラスチックケースに入れた磁気検出器で検査すると、４０ｃｍ位離れた場所でも中の永久磁石が振動した。外径２０ｃｍのコイルの２倍位の距離まで磁気が届くことが分かった。このコイルに１５０Ｖの交流電圧を印加すると電流は１８７１ＡＴであった。磁気検出器で検査すると、同じく４５ｃｍ位離れた場所で中の永久磁石が振動した。これだけ届くと布団やベッドの下に置いて使うことも容易になる。【００５０】  第４の発明の実施例１０は、図４および図６を用いて説明する。図４は図１の１３結合部の断面図である。コイルの内側は図４の左側になる。コイルの内側、結合部の中にコイルの銅線と直交するように４１鉄線の束を固定して４３結合部の表面での磁束密度を測定した。その時のコイルの周囲の磁束密度を図５に示した。コイルの内側５１の位置で１３，９ミリテスラのとき結合部の表面４３では４０，８ミリテスラと約３倍の値であった。【００５１】  ４１鉄線の束は鉄線径０，６ｍｍφ、被覆径１，２ｍｍφ、長さ２０ｍｍの鉄線２５本を束ねたもので外径約７ｍｍφである。コイルは直径２８ｃｍ、銅線径１，０ｍｍφの巻線を４４０回巻いたコイルで２２０回巻いたコイル２本の並列接続である。３４Ｖの交流電圧を加えて、交流電流は９２２ＡＴである。４１鉄線の束を取り付けたときは、無かった時より０，２％位電流が低下する程度で大差ない。４１鉄線の束を鉄線径０，９ｍｍφ、被覆径１，２ｍｍφにすれば、磁心の占積率を２倍に出来るので結合部の表面４３での磁束密度は約６倍になると予想される。鉄線は園芸用の軟鉄線を用いたがもっと透磁率の高い材料にすれば、さらに、部分的に結合部の表面４３での磁束密度を上げることが出来る。鉄線の束の、３０分の連続使用後の温度上昇は僅かで、銅線よりもはるかに低い温度であったので、鉄損はこの構造なら問題にならないと思われる。園芸用の軟鉄線は何処ででも入手可能なもので価格も安いので、簡単な構造でよい効果が得られたと思う。
【発明の効果】
【００５２】  本発明のコイルを用いた変動磁場発生器は、第４の発明も含めて大きな空心のコイルであるので、図５および図６に示した様に１０〜２０ｃｍ位離れた場所の磁場が従来の鉄心入りのコイルを使用した▲１▼▲２▼の交流磁気治療器よりも強くなり、また、コイルの表面付近は弱くなる特徴がある。従来の交流磁気治療器は、人体に近い所は磁場が強く、その為疲労を感じる副作用が出やすかった。直径２８ｃｍφのコイルではコイルからの距離が５ｃｍから２０ｃｍになっても２０％の磁束密度があるので、動物や植物、微生物への磁場の影響を調べるのに便利である。また、直径４０ｃｍφ位までは、安価なプラスチックのケースに収納するだけで機械的強度もあるので、低価格で製造でき、簡単に使用できる。本発明により、変動磁場の科学的研究が進み利用技術が発達すると確信している。
【００５３】  本発明の外径２８ｃｍの変動磁場発生器を使い、電流密度を３，０Ａ／ｍｍ２位にして１５ミリテスラ位の磁気を当てた所、心筋梗塞で８０％詰まっていた血管が毎日数回の使用で１ヵ月後に６０％にまで改善したり（ＭＲＩのデータ）、また、２６ミリテスラ位の磁気を１回、１０分間当てただけで花粉症の症状が収まった体験もある。更にＥＭ菌の培養で異常発酵を止める効果もある。これは、腸内の乳酸菌にも同様の良い効果をもたらし、それが便秘や下痢を解消する効果をもたらすものと思っている。インフルエンザＡ型に感染し、発熱したとき磁気を当てたら熱が下がり、「タミフルだけで３日で治るのはおかしい。」と医者に言われた体験もある。本発明により、微生物と関係の深い、農業や醸造業、水産業、下水処理等への磁気の利用が拡がると期待される。上記の例では電流密度を上げて、１０分以下で使用した例があるが、短時間で体感できる効果を得られ便利である。
【００５４】  本発明の特徴は、従来の空心のコイルを使った磁場発生器は対象をコイルの中に入れて磁気を当てたのにたいして、空心のコイルの外側の磁場空間に対象を置いて磁気を当てることを主たる使用方法としたことにある。空心のコイルが発生する磁場の最も強いところではなく、その周辺の比較的均一な強さの磁場を使って腎臓や肝臓、心臓などの臓器を全体を磁場空間に包み込むようにして使用することを考えた。それが効果を１０分〜３０分で感じる人が多く出ている理由ではないかと思う。日本では薬事法の制限があるので外国で希望者に体験して貰うようにしたが、体の不調を感じている中高年の人の１０人以上の大部分の人が３０分以内に改善効果を感じると言っている。また、動物に使用するとき、籠の横に取り付けて使用できるので実験、保守が容易になる効果もある。
【００５５】  本発明のもう一つの特徴は、パルス波を印加するコイルが短時間しか磁場を発生しないのに対して、連続する変動磁場を発生していて、▲３▼より１０倍以上の時間に変動磁場を対象に与えることができる点である。これが効果の違いの理由と思われる。
【００５６】  第４の発明の効果は、この発明が無かったら第１から第３の発明の大部分は、薬事法の規制で日本国内では販売が困難であったところを、薬事法の規定内に変えることが出来る点にある。従来の発想では鉄心はコイルの内径との間に隙間が無いようにして磁束の漏れを少なくするのだが、本発明ではコイルの内径１２〜３２ｃｍφに対して１ｃｍφより小さい鉄心を設けるので発想が異なっている。この鉄心は、直径が大きくなると磁束密度は小さくなるので、磁界測定器のセンサの大きさより少し大きい５ｍｍφ位で十分である。長さは、コイルのケースの中なので最長４ｃｍ以下であれば良い。軟鉄線よりも透磁率の高い材料を使用すれば寸法を変える事が可能になる。例えば永久磁石の材料を着磁せずにケースの裏に貼り付けることでも同じ効果が得られると思う。
【００５７】  本発明の効果は、１０ヵ月の実験から、５００〜８００ＡＴでは爽快感と疲労の軽減、血流の改善を感じ、９００〜１３００ＡＴでは脂肪が体外に排出される現象、目やにや痰が出る現象があることが分かった。長年重かった胃腸がすっかり気持ち良くなり、食欲も出てきて、薄くなっていた頭髪も増えてきた。１３００〜１５００ＡＴでは１０分間、１回で花粉症が治ってしまったが、１８００ＡＴ以上では白内障が悪化してしまったなど、発明者の身体に色々な効果として体験された。その改善のメカニズムはまだ解明されていないが、人類の生活に大きな成果が得られると思う。変動磁場は水に変化を与え、それが細菌に大きな影響を与えるようで、身体の中の細菌のバランスが良い方に変わることで内臓の機能が良くなると思う。また老化の原因である血管や体内の脂肪や毒物が排出されて、血流の改善や機能の改善が得られていると思う。外傷に磁気を当てると化膿しないで、速く治ることも家族で体験している。どのような磁場がより良い効果が出るかは、今後の研究の発展に期待したい。
【図面の簡単な説明】
【図１】  本発明の変動磁場発生器の斜視図。
【図２】  本発明の変動磁場発生器に使用する変圧器の斜視図。
【図３】  交流磁気治療器に使用されているタイマーの斜視図。
【図４】  本発明の変動磁場発生器の斜視図、図１の結合部１３の断面図。
【図５】  本発明の変動磁場発生器の周囲の磁束密度の分布の測定例の１。
【図６】  本発明の変動磁場発生器の周囲の磁束密度の分布の測定例の２。
【符号の説明】
１１                    巻線
１２，２２，３２        ケース
１３                    結合部
１４                    絶縁カバー
１５，３５              プラグ
１６                    電源コード
１７                    ヒューズ
２３，３３              レセプタクル
２９                    表示灯
３８                    時刻設定つまみ
３９                    時刻目盛
【図１】
2007252875.tif 000003
【図２】
2007252875.tif 000004
【図３】
2007252875.tif 000005
【図４】
2007252875.tif 000006
【図５】
2007252875.tif 000007
【図６】
2007252875.tif 000008